(57)【要約】【課題】利用する燃料タンクのサイズに応じて接地脚の長さを伸縮調整でき、且つコンパクト化が容易に可能で収納や携帯に便利となる携帯用コンロ装置を提供すること。【解決手段】加熱調理容器１を載置支承可能なコンロ本体２の一側に、地面３に接地する二本以上の接地脚４を下方に向けて突設し、このコンロ本体２の反対側に、燃料タンク５を着脱自在に接続可能な燃料供給管部６を突設し、この燃料供給管部６に接続した燃料タンク５を、接地脚４とともに地面３に接地するタンク脚５Ａとして利用し、接地脚４は、伸縮調整可能に構成すると共に、コンロ本体２に折り畳み可能に設け、燃料供給管部６は、コンロ本体２に着脱自在に設けて、コンロ本体２から取り外したこの燃料供給管部６を、接地脚４が折り畳まれた状態のコンロ本体２に沿設し得るように構成する。【選択図】図１
2016017686.tif 000002
【特許請求の範囲】
【請求項１】
鍋などの加熱調理容器を載置支承可能なコンロ本体の一側に、地面に接地する二本以上の接地脚を下方に向けて突設し、このコンロ本体の反対側に、燃料タンクを着脱自在に接続可能な燃料供給管部を突設し、この燃料供給管部に接続した燃料タンクを、前記接地脚とともに地面に接地するタンク脚として利用する携帯用コンロ装置において、前記二本以上の接地脚は、夫々を伸縮調整可能に構成すると共に、前記コンロ本体に折り畳み可能に設け、前記燃料供給管部は、前記コンロ本体に着脱自在に設けて、コンロ本体から取り外したこの燃料供給管部を、前記接地脚が折り畳まれた状態のコンロ本体に沿設し得るように構成したことを特徴とする携帯用コンロ装置。
【請求項２】
前記接地脚は、前記コンロ本体の下部に折り畳み回動自在に枢着したことを特徴とする請求項１記載の携帯用コンロ装置。
【請求項３】
前記燃料供給管部は、前記コンロ本体に着脱自在に螺着したことを特徴とする請求項１，２のいずれか１項に記載の携帯用コンロ装置。
【請求項４】
前記コンロ本体は、バーナー部と、鍋などの加熱調理容器を載置支承可能な複数の五徳部とから成ると共に、前記バーナー部に、前記複数の五徳部を旋回自在に設けた構成として、この複数の五徳部を旋回移動させることにより一箇所にまとめて収納状態とし得るようにしたことを特徴とする請求項１〜３のいずれか１項に記載の携帯用コンロ装置。
【発明の詳細な説明】
【技術分野】
【０００１】
本発明は、アウトドアレジャーでの使用に適した携帯用コンロ装置に関するものである。
【背景技術】
【０００２】
この種の携帯用コンロ装置は、本出願人の先願である特許第３５５００３６号（特許文献１）に示されるように、一般に供給管（ガスチューブなど）を介して燃料タンク（ガスカートリッジなど）と連通接続されこの燃料タンクから供給された燃料をバーナー部において燃焼するコンロ本体と、このコンロ本体のバーナー部の上方に加熱用調理器を載置保持する為の複数の五徳とから成り、更にコンロ本体に、点火時に使用するイグナイタ（点火制御装置）や、燃料タンクからの燃料供給量を調整してバーナー部の火力を調整する火力調整栓などを具備して成る構成である。
【０００３】
この携帯用コンロ装置は、適宜な場所へ気軽に持ち運んで使用できることから、屋内での使用のみならず、所謂アウトドア用として屋外などでも広く使用されている。特に屋外で使用する場合、コンロ装置を接地する接地面が不正地（平坦ではなく凹凸な面）であることが多く、よって、このような凹凸のある接地面であっても安定性良く接地して加熱調理が行えるか否かがこの種携帯用コンロ装置の実用上の重要な課題となっている。
【０００４】
この種携帯用コンロ装置においては、複数の五徳の下部に夫々支持脚体を連設し、この各五徳に連設されコンロ本体の下方側に突出する各支持脚体を接地面に接地させてコンロ本体を接地面に対し浮上状態に支持することにより、凹凸のある不正地においても高い接地安定性を確保しているが、一方で携帯性を配慮した軽量化がなされているため、何かがぶつかったり強風が吹いたりすると簡単に倒れてしまい易いという欠点があった。
【０００５】
そこで、従来、特表２００２−５２２７４３号（特許文献２）のように、コンロ装置に接続する燃料タンクを脚代りに利用した三脚接地構造とすることによって、燃料タンク分の重量を付加でき、更に、燃料タンクの接地面積を利用すると共に、燃料タンクと他の脚との間の距離を大きくして接地安定性を著しく向上させたものも提案されている。
【先行技術文献】
【特許文献】
【０００６】
【特許文献１】特許第３５５００３６号公報
【特許文献２】特表２００２−５２２７４３号公報
【発明の概要】
【発明が解決しようとする課題】
【０００７】
本発明は、この種の燃料タンクを脚代りに利用する携帯用コンロ装置の改良に係るもので、燃料タンクを接地脚として利用することのメリットはそのままに、利用する燃料タンクのサイズに応じて接地脚の長さを伸縮調整可能であると共に、コンパクト化が容易に可能で収納や携帯にも便利となる実用性に優れた携帯用コンロ装置を提供するものである。
【課題を解決するための手段】
【０００８】
添付図面を参照して本発明の要旨を説明する。
【０００９】
鍋などの加熱調理容器１を載置支承可能なコンロ本体２の一側に、地面３に接地する二本以上の接地脚４を下方に向けて突設し、このコンロ本体２の反対側に、燃料タンク５を着脱自在に接続可能な燃料供給管部６を突設し、この燃料供給管部６に接続した燃料タンク５を、前記接地脚４とともに地面３に接地するタンク脚５Ａとして利用する携帯用コンロ装置において、前記二本以上の接地脚４は、夫々を伸縮調整可能に構成すると共に、前記コンロ本体２に折り畳み可能に設け、前記燃料供給管部６は、前記コンロ本体２に着脱自在に設けて、コンロ本体２から取り外したこの燃料供給管部６を、前記接地脚４が折り畳まれた状態のコンロ本体２に沿設し得るように構成したことを特徴とする携帯用コンロ装置に係るものである。
【００１０】
また、前記接地脚４は、前記コンロ本体２の下部に折り畳み回動自在に枢着したことを特徴とする請求項１記載の携帯用コンロ装置に係るものである。
【００１１】
また、前記燃料供給管部６は、前記コンロ本体２に着脱自在に螺着したことを特徴とする請求項１，２のいずれか１項に記載の携帯用コンロ装置に係るものである。
【００１２】
また、前記コンロ本体２は、バーナー部７と、鍋などの加熱調理容器１を載置支承可能な複数の五徳部８とから成ると共に、前記バーナー部７に、前記複数の五徳部８を旋回自在に設けた構成として、この複数の五徳部８を旋回移動させることにより一箇所にまとめて収納状態とし得るようにしたことを特徴とする請求項１〜３のいずれか１項に記載の携帯用コンロ装置に係るものである。
【発明の効果】
【００１３】
本発明は上述のように構成したから、コンロ本体から突設する燃料供給管部に接続した燃料タンクをタンク脚として二本以上の接地脚とともに地面に接地することができ、これにより上記特許文献２と同様の高い接地安定性を発揮でき、また、市販の燃料タンクにはサイズ（高さ）の異なるものが数種類存在するが、使用する燃料タンクのサイズに応じて接地脚を伸縮調整でき、コンロ本体を可及的水平状態として加熱調理を安全に行うことができ、しかも本発明は、燃料供給管部をコンロ本体から取り外しできると共に、接地脚をコンロ本体に折り畳んでコンロ本体を容易にコンパクト化でき、更に接地脚を縮めて折り畳むことで一層のコンパクト化も可能であり、このコンパクト化したコンロ本体に燃料供給管部を沿設させて嵩張らない状態にできるので、不使用時（収納時）や携帯時（持ち運び時）に便利となるなど、極めて実用性に優れた携帯用コンロ装置となる。
【００１４】
また、請求項２記載の発明においては、接地脚がコンロ本体の下部に折り畳まれてコンパクト化できると共に、接地脚の折り畳み構造を簡易に設計実現可能となる一層実用性に優れた構成の携帯用コンロ装置となる。
【００１５】
また、請求項３記載の発明においては、コンロ本体に対する燃料供給管部の着脱構造を簡易に設計実現可能となると共に、その着脱操作が回動螺動操作によって容易に行われる一層実用性に優れた構成の携帯用コンロ装置となる。
【００１６】
また、請求項４記載の発明においては、複数の五徳部を備えた便利なコンロ本体となり、しかも、各五徳部を一箇所にまとめてコンロ本体をコンパクト化することができる一層実用性に優れた構成の携帯用コンロ装置となる。
【図面の簡単な説明】
【００１７】
【図１】本実施例の使用状態を示す斜視図である。
【図２】本実施例の使用状態を示す、接地脚を燃料タンクのサイズに応じて伸縮調整した説明側面図である。
【図３】本実施例の接地脚の伸縮構造並びに長さ保持手段を示す部分拡大説明図である。
【図４】本実施例のコンロ本体を示す、燃料供給管部を取り外して接地脚を折り畳んだ状態を示す説明側面図である。
【図５】本実施例のコンロ本体に対する燃料供給管部の着脱自在構造を示す部分拡大断面図である。
【図６】本実施例の収納状態（携帯に適した状態）を示す説明斜視図である。
【発明を実施するための形態】
【００１８】
好適と考える本発明の実施形態を、図面に基づいて本発明の作用を示して簡単に説明する。
【００１９】
コンロ本体２から突設する燃料供給管部６に燃料タンク５を接続し、この燃料供給管部６に接続した燃料タンク５をタンク脚５Ａとして二本以上の接地脚４とともに地面３に接地すると、燃料タンク５の重量が装置重量に付加され、更に燃料タンク５の広い面積で接地（接地面積が増加）すると共に、燃料タンク５と接地脚４との間の距離を大きく取れることになるので接地安定性が著しく向上する。
【００２０】
また、市販の燃料タンク５には、サイズ（高さ）の異なるものが数種類存在するが、使用する燃料タンク５のサイズに応じて接地脚４を伸縮調整して、地面３に接地した際にコンロ本体２を可及的水平状態となるようにすることができる。
【００２１】
また、不使用時（収納時）や携帯時（持ち運び時）には、燃料タンク５を燃料供給管部６から取り外し、コンロ本体２から燃料供給管部６を取り外すと共に、下方に突出している接地脚４をコンロ本体２に折り畳むと、コンロ本体２をコンパクト化することができ、このコンパクト化したコンロ本体２に、取り外した前記燃料供給管部６を沿設させて嵩張らない状態で収納したり持ち運んだりすることができる。
【００２２】
また、この際、接地脚４を縮めてコンロ本体２に折り畳むこともでき、このようにすることによってコンロ本体２を一層コンパクト化できる。
【００２３】
また、例えば、前記接地脚４は、前記コンロ本体２の下部に折り畳み回動自在に枢着した構成とすれば、コンロ本体２の下方に突出している接地脚４が回動移動してコンロ本体２の下部に折り畳まれる。
【００２４】
また、例えば、前記燃料供給管部６は、前記コンロ本体２に着脱自在に螺着した構成とすれば、簡易な回動螺動操作によって燃料供給管部６をコンロ本体２に対し着脱できる。
【００２５】
また、例えば、前記コンロ本体２は、バーナー部７と、鍋などの加熱調理容器１を載置支承可能な複数の五徳部８とから成ると共に、前記バーナー部７に、前記複数の五徳部８を旋回自在に設けた構成として、この複数の五徳部８を旋回移動させることにより一箇所にまとめて収納状態とし得るようにすれば、複数の五徳部８を備えたコンロ本体２のこの五徳部８に、加熱調理容器１を直接載置支承して加熱調理可能となり、不使用時（収納時）や携帯時（持ち運び時）には、複数の五徳部８を旋回させ一箇所にまとめてコンロ本体２をコンパクト化することができる。
【実施例】
【００２６】
本発明の具体的な実施例について図面に基づいて説明する。
【００２７】
本実施例は、鍋などの加熱調理容器１を載置支承可能なコンロ本体２の一側に、地面３に接地する二本の接地脚４を下方に向けて突設し、このコンロ本体２の反対側に、燃料タンク５を着脱自在に接続可能な燃料供給管部６を突設し、この燃料供給管部６に接続した燃料タンク５を、前記接地脚４とともに地面３に接地するタンク脚５Ａとする三脚接地構造としている。尚、接地脚４は、本実施例に限らず、二本以上設けても良い。また、本実施例では、燃料タンク５として、可燃ガスが圧縮して装填されているガスカートリッジ（所謂ＯＤ缶。以下、本実施例では、燃料タンク５をガスカートリッジ５と称す。）を採用した場合を示しているが、これに限らず、他の燃料タンク５を採用しても良い。
【００２８】
本実施例のコンロ本体２は、図１，図２に示すように、前記燃料供給管部６を接続するための接続管11を備えたジョイントブロック部10と、このジョイントブロック部10の上部に設けられこのジョイントブロック部10を介しガスカートリッジ５から燃料の供給を受けて燃焼する平面視円盤状のバーナー部７と、このバーナー部７に設けられ鍋などの加熱調理容器１を載置支承可能な五徳部８とから成る構成としている。
【００２９】
また、前記ジョイントブロック部10は、長さを有する金属性の角棒状体に構成している。以下、本実施例では、このジョイントブロック部10の長さ方向をコンロ本体２の前後方向（図２，図４，図５における左右方向）と規定して説明する。
【００３０】
また、このジョイントブロック部10の長さ方向の一端側（前端側）には、このジョイントブロック部10の長さ方向と直交する左右両側に棒状の前記接地脚４を斜め下方に向けて突設している。
【００３１】
また、このジョイントブロック部10の反対側（後端側）には、前記接続管11をその管長がジョイントブロック部10の長さ方向に沿うようにして突設し（ジョイントブロック部10と接続管11とが前後方向に一直線状をなすように構成し）、この接続管11の外周面にはネジ部21を刻設して、このネジ部21を利用して接続管11に前記燃料供給管部６を着脱自在に接続する構成としている。
【００３２】
また、前記バーナー部７には、前記五徳部８を四箇所に突設した構成としている（図１参照）。
【００３３】
五徳部８は、側面視で略Ａ字状をなす金属フレーム８で構成し、この金属フレーム８の二股側端部を前記バーナー部７の上部と下部とに付設して、反対側（Ａの頂点側）を外方へ突設させている。そして、この金属フレーム８の上縁部に多数の溝を刻設して、この溝付き上縁部を加熱調理容器１の載置支承部14としている。
【００３４】
また、この四箇所の各五徳部８のうち一体は、前記ジョイントブロック部10の接続管11の真上に位置させて（前記載置支承部14の長さ方向とジョイントブロック10の長さ方向（前後方向）を一致させて）この接続管11に支持固定して、これを固定五徳部８Ａとし、他の三体は、それを構成する金属フレーム８の二股側端部を前記バーナー部７の上部中心部と下部中心部とに回動自在に枢着して夫々をバーナー部７に対し水平旋回自在に設けて、これらを水平旋回自在な三体の可動五徳部８Ｂとしている。
【００３５】
そして、この三体の可動五徳部８Ｂを旋回移動させて、例えば四体の五徳部８をバーナー部７を中心に９０度間隔で展開させることにより（図１参照）加熱調理容器１を安定的に載置支承でき、不使用時（収納時）や携帯時（持ち運び時）には、三体の可動五徳部８Ｂを旋回移動により固定五徳部８Ａに沿わせて（ジョイントブロック部10と略平行となるようにして）一箇所にまとめて収納状態にできる構成としている（図６参照）。
【００３６】
また、前記二本の接地脚４について説明すると、夫々を伸縮調整可能に構成している。即ち、市販のガスカートリッジ５には、サイズ（高さ）の異なるものが数種類存在するが、使用するガスカートリッジ５のサイズに応じて接地脚４を伸縮調整して、地面３に接地した際にコンロ本体２を可及的水平状態にできるようにしている。
【００３７】
この接地脚４の伸縮調整機能について具体的に説明すると、接地脚４は、小径上管部15と、この小径上管部15にスライド自在に被嵌する大径下管部16とから成る一本のストレート棒状体に構成して、小径上管部15と大径下管部16とを相互にスライド伸縮調整可能な構造としている（図３参照）。
【００３８】
また、この接地脚４は、その伸縮長を複数段階に保持する保持・保持解除可能な長さ保持手段９を設けて、ガスカートリッジ５のサイズに応じて伸縮調整した接地脚４の長さや、不使用時や携帯時に縮めた接地脚４の長さを、この長さ保持手段９により保持できる構成としている。
【００３９】
長さ保持手段９は、公知のピンロック機構９を採用している。具体的には、図３に示すように、前記小径上管部15の途中部に図示省略の弾性体により外方へ突出付勢される（弾性体の付勢力に抗して内方へ没動可能な）ロックピン17を設ける一方、前記大径下管部16には、その長さ方向に間隔を置いた数箇所（図面は二箇所）に前記ロックピン17が係脱可能なピン係止孔18を設けている。そして、このピン係止孔18にロックピン17が突出係止することで小径上管部15と大径下管部16とが位置ロック（伸縮長が保持）され、ロックピン17を係止するピン係止孔18を選択することで、接地脚４の伸縮長を複数段階（本実施例では二段階）に保持可能な構成としている。
【００４０】
更に詳しく説明すると、市販のガスカートリッジ５には、一般的に容量の違いで「１１０缶」、「２５０缶」、「５００缶」と称される三種類が存在しているが、本実施例では、この三種類のうち、「１１０缶」と「２５０缶」の二種類に対応できるように構成している。即ち、図２（ａ）に示すように接地脚４を短くした場合が「１１０缶」に対応でき、図２（ｂ）に示すように接地脚４を長くした場合が「２５０缶」に対応できる構成としている。尚、例えば、接地脚４を更に長く伸長可能な構成として、「５００缶」にも対応可能な構成としても良い。
【００４１】
また、二本の接地脚４は、前記コンロ本体２に折り畳み可能に設けている。
【００４２】
具体的には、接地脚４を構成する前記小径上管部15の上端部に軸受片19を突設し、二本の接地脚４の夫々の軸受片19を、前記ジョイントブロック部10の一端側（前端側）の、このジョイントブロック10長さ方向と直交する左右両側面部に枢着して、左右の各接地脚４が、前記コンロ本体２の下方へ突出した状態から、コンロ本体２のジョイントブロック部10と略平行に沿設する状態に折り畳み回動移動可能に構成している（図４参照）。
【００４３】
また、ジョイントブロック部10の一端部（前端部）の左右部には、各接地脚４の回動範囲を規制する回動限ストッパー20を一体的に設けて、接地脚４をコンロ本体２の下方へ突出するように回動移動させた際に、各接地脚４（の軸受片19）が、その下端部が上端部よりやや外方（前方）に位置する斜設状態で下方へ突出する位置で回動限ストッパー20につき当たって、それ以上接地脚４が外方に回動しない構成としている（図２参照）。
【００４４】
また、二本の接地脚４は、ジョイントブロック部10の一端側から見た際に（コンロ本体２を前方から見た際に）ハの字状に対設するようにして枢着すると共に、各接地脚４の下端部を凸湾曲面状に形成して、接地安定性を確保している（図１参照）。
【００４５】
また、本実施例の燃料供給管部６について説明すると、金属製（剛体）のストレート管で構成し、この燃料供給管部６の一端部には、接続ナット12を外嵌すると共に、この接続ナット12は燃料供給管部６を支軸にしてフリーで回動可能に設け、この燃料供給管部６の一端部を前記接続管11内に差し込んだ上で、接続ナット12を接続管11の前記ネジ部21に螺着して締付することにより、燃料供給管部６をコンロ本体２に連結（ジョイントブロック部10（接続管11）と一直線状に連結）でき、この連結状態から接続ナット12を緩めることで燃料供給管部６をコンロ本体２（ジョイントブロック部10）から取り外しできる構成としている。図中符号22は接続ナット12を燃料供給管部６から抜け止め状態とするためのストッパー突起である。
【００４６】
また、この燃料供給管部６の他端部（ガスカートリッジ５接続側端部）には、ガスカートリッジ５と接続でき且つガスカートリッジ５から供給される燃料の流量を調整可能な器具栓13を設けている。この器具栓13は、起立姿勢のガスカートリッジ５を接続できるように構成し、これにより最も接地面積が多く安定的に接地可能な状態のガスカートリッジ５をタンク脚５Ａとして利用できる構成としている。
【００４７】
次に、本実施例の使用方法を説明する。
【００４８】
二本の接地脚４を下方に突出させ、コンロ本体２に燃料供給管部６を接続してこの燃料供給管部６の器具栓13にガスカートリッジ５を接続し、このガスカートリッジ５をタンク脚５Ａとして二本の接地脚４とともに地面３に接地する（図１参照）。
【００４９】
また、使用するガスカートリッジ５のサイズ（高さ）に応じて接地脚４を伸縮調整して、地面３に接地した際にコンロ本体２を可及的水平状態となるようにし、五徳部８上に加熱料理容器１を載置支承して加熱調理を行う（図２参照）。
【００５０】
また、不使用時（収納時）や携帯時（持ち運び時）には、ガスカートリッジ５を燃料供給管部６から取り外し、燃料供給管部６をコンロ本体２から取り外し、下方に突出している接地脚４を縮めてコンロ本体２に折り畳むと共に、五徳部８を一箇所にまとめてコンロ本体２をコンパクト化する。そして、このコンパクト化したコンロ本体２に、取り外した燃料供給管部６を沿設させて（図６参照）収納したり持ち運びしたりする。
【００５１】
尚、本発明は、本実施例に限られるものではなく、各構成要件の具体的構成は適宜設計し得るものである。
【符号の説明】
【００５２】
１  加熱調理容器
２  コンロ本体
３  地面
４  接地脚
５  燃料タンク
５Ａ  タンク脚
６  燃料供給管部
７  バーナー部
８  五徳部
【図１】
2016017686.tif 000003
【図２】
2016017686.tif 000004
【図３】
2016017686.tif 000005
【図４】
2016017686.tif 000006
【図５】
2016017686.tif 000007
【図６】
2016017686.tif 000008